(57)【特許請求の範囲】
【請求項１】
撮影時に被検眼の眼底を照明する照明手段と、
赤外光で前記被検眼を照明する第二の照明手段と、
前記照明手段の光量を手動で指示する指示手段と、
前記第二の照明手段で照明されて撮像された前記被検眼の瞳孔径が小さくなるのに応じて前記照明手段で照明する光量を前記指示手段で指示された光量より増加させて照明するように前記照明手段を制御する制御手段と、
前記照明手段で照明された前記被検眼の眼底を撮影する撮影手段と、
を備えたことを特徴とする眼底撮影装置。
【請求項２】
前記制御手段は被検者が変更された場合に前記指示手段の光量を初期化することを特徴とする請求項１に記載の眼底撮影装置。
【請求項３】
前記制御手段は、前記前記被検眼の瞳孔径が所定値よりも小さい場合に、前記手動で指示された光量より増加して設定することを特徴とする請求項１又は２のいずれか一項に記載の眼底撮影装置。
【請求項４】
前記制御手段は、前記被検眼の瞳孔径の直径が４ｍｍよりも小さい場合に、前記手動で指示された光量より増加させて照明するように前記照明手段を制御することを特徴とする請求項１乃至３のいずれか一項に記載の眼底撮影装置。
【請求項５】
前記制御手段は、前記被検眼の瞳孔径の直径が４．０ｍｍ、３．５ｍｍ、３．０ｍｍ、２．５ｍｍの少なくともいずれかよりも小さい場合に、前記手動で指示された光量より増加させて照明するように前記照明手段を制御することを特徴とする請求項１乃至３のいずれか一項に記載の眼底撮影装置。
【発明の詳細な説明】
【技術分野】
【０００１】
本発明は、被検眼眼底を複数回撮影する眼底撮影装置及び撮影方法に関するものである。
【背景技術】
【０００２】
従来から、住民健診、企業健診、人間ドック、緑内障検診、糖尿病検診等では眼底検査が実施されている。以前は片眼のみの眼底撮影が行われていたが、近年では検査していない他眼に所見が現れる場合がある状況を考えて、左右両眼撮影や、疾病により撮影する範囲や位置が変わるため、同一方向眼でも複数枚の眼底撮影が実施されている。
通常では、上述した眼底撮影は散瞳剤を必要としない無散瞳撮影が行われている。無散瞳撮影では、暗室や被検眼頭部のみを室内光から遮蔽する簡易的な暗室などを使用して、被検眼を自然散瞳した状態で眼底撮影を行う。撮影画像の記録は従来では、３５ｍｍフィルムやインスタントフィルム等を使用していたが、近年のデジタル化により、ＣＣＤ等のセンサを用いてデジタル画像として記録する方法が主流になりつつある。デジタル画像記録は一般に銀塩フィルム記録に較べて、撮像装置の感度の差から撮影光量が少なくて済むという利点がある。従って、デジタル画像記録のシステムを用いた場合に、撮影後の縮瞳の影響が少なくて済むため、銀塩フィルム記録のシステムに較べて短時間で左右眼を撮影することが可能となる。
また、緑内障の診断のために乳頭部を立体的（ステレオ）に観察するには、瞳孔内で一定の基線長ずらして２枚の撮影を行う経時立体撮影法も実施されている。更に、眼底周辺部まで一度に観察できるように、眼底カメラの固視灯の位置をずらして固視位置を変えて３〜８枚程度の撮影を行い、それら眼底画像を貼り合わせして、１枚のパノラマ眼底画像を作成することもなされている。
また、無散瞳状態で撮影するために低い撮影光量で撮影しても、撮影後の縮瞳の影響は無視することはできず、連続して同じ被検眼の撮影を行った場合には、１回目よりは２回目、２回目よりは３回目で撮影した眼底画像の方が暗くなる場合が多い。このため、特許文献１に記載の眼科撮影装置は、瞳孔径が小さくなると光量を上げることができる構成を有する。
【先行技術文献】
【特許文献】
【０００３】
【特許文献１】特開２００５‐８７３００号公報
【発明の概要】
【発明が解決しようとする課題】
【０００４】
従来は最初の撮影の終了後に、次の撮影を行う前に撮影光量を調整しなければならない場合がある。
無散瞳状態で立体撮影やパノラマ作成のための撮影を行う際も、１回目の画像よりも２回目の撮影では、縮瞳のため撮影光量の調節に経験を必要とする場合がある。
特許文献１の方法では、被検者の眼の形状や状態などに応じて検査者の経験で初期の撮影光量を設定できない。そのため、特許文献１の図６を考慮すると瞳孔径で定まった光量でしか撮影できない。
本発明の目的は、撮影光量の調整負担を低減する眼底撮影装置及び撮影方法を提供することにある。
【課題を解決するための手段】
【０００５】
上記目的を達成するための本発明に係る眼底撮影装置は、撮影時に被検眼の眼底を照明する照明手段と、
赤外光で前記被検眼を照明する第二の照明手段と、
前記照明手段の光量を手動で指示する指示手段と、
前記第二の照明手段で照明されて撮像された前記被検眼の瞳孔径が小さくなるのに応じて前記照明手段で照明する光量を前記指示手段で指示された光量より増加させて照明するように前記照明手段を制御する制御手段と、
前記照明手段で照明された前記被検眼の眼底を撮影する撮影手段と、
を備えたことにある。
【発明の効果】
【０００６】
本発明に係る眼底撮影装置及び撮影方法によれば、同一被検者に対して連続撮影を行う場合に、撮影の都度、手動で撮影光量の調整を行うなどの面倒な操作を行わずに、適正な撮影光量で被検眼の撮影を行うことができる。
【図面の簡単な説明】
【０００７】
【図１】実施例の装置構成図である。
【図２】眼底カメラの構成図である。
【図３】ブロック回路構成図である。
【図４】前眼部像及び瞳孔径の例である。
【図５】実施例１の動作フローチャート図である。
【図６】瞳孔径から撮影光量を変更する動作フローチャート図である。
【図７】実施例２の動作フローチャート図である。
【図８】実施例３の動作フローチャート図である。
【図９】立体撮影スイッチの構成図である。
【図１０】立体撮影時の観察画像の説明図である。
【図１１】実施例４の動作フローチャート図である。
【図１２】実施例５の動作フローチャート図である。
【発明を実施するための形態】
【０００８】
本発明を図示の実施例に基づいて詳細に説明する。
【実施例１】
【０００９】
図１は実施例の装置構成図を示し、基台部１上にステージ部２が載置され、その上に眼底カメラ３が構設されている。基台部１には顔受け部４が取り付けられ、顔受け部４に被検者Ｓの顎と額とを当てて、被検眼Ｅを固定するようになっている。撮影者がステージ部２上の操作桿５を操作することで、眼底カメラ３を被検者Ｓに対して左右前後に移動可能となっている。また、操作桿５上には撮影スイッチ６が設けられている。
基台部１上にはステージ部２の移動方向を検知する左右検知部７が設けられ、ステージ部２上には撮影光量設定部８が設けられている。また眼底カメラ３には、ＣＣＤカメラ９と観察用モニタ１０が設けられ、ＣＣＤカメラ９の出力は撮影画像記録部１１、テレビモニタ１２に接続されている。
【００１０】
図２は眼底カメラ３の構成図を示し、被検眼Ｅの前方には対物レンズ２１が配置され、その後方の光路上には孔あきミラー２２、フォーカスのために移動可能な撮影レンズ２３、可動ミラー２４、可視波長領域に感度を有するＣＣＤカメラ９が順次に配列され、眼底撮像光学系が構成されている。
可動ミラー２４の反射方向には、ハーフミラー２５、眼底Ｅｒと略共役位置に固視灯２６が配置されている。ハーフミラー２５の反射方向には、フィールドレンズ２７、赤外波長領域に感度を有する観察用カメラ２８が順次に配列され、観察用カメラ２８の出力は観察用モニタ１０に接続され、観察光学系が構成されている。
【００１１】
また、孔あきミラー２２への照明光の入射方向には照明光学系が設けられ、ハロゲンランプ等の可視光を発する観察光源３１側からコンデンサレンズ３２、可視光カットフィルタ３３、可視光の閃光を発する撮影光源３４、リング状開口部を有し被検眼Ｅの瞳孔Ｅｐと略共役位置にあるリングスリット３５、リング状開口部を有し被検眼Ｅの水晶体後面Ｅｓと略共役位置にある水晶体バッフル３６、レンズ３７、リング状開口を有し被検眼角膜Ｅｃと略共役位置にある角膜バッフル３８が順次に配列されている。また、被検眼Ｅの前方に前眼部観察光源３９が設けられている。
【００１２】
ＣＣＤカメラ９の出力はＣＰＵから成る制御手段４１に接続されており、制御手段４１には、固視灯２６、観察光源３１、撮影光源３４、テレビモニタ１２、水晶体バッフル３６の状態を検出するマイクロスイッチ等の検出手段４２、撮影画像記録部１１、制御手段４１での処理に必要なプログラム、各種のデータなどを記憶すると共にワーキング・メモリとして機能するメインメモリ４３が接続されている。
【００１３】
図３はブロック回路構成図であり、図１、図２と同じ符号は同じ部材を示している。制御手段４１はメインメモリ４３に書き込まれたプログラムに従って眼底カメラ３全体の処理を行う。観察用カメラ２８により被検眼Ｅの前眼部や眼底Ｅｒを撮像し、そのビデオ信号にアライメントマークや左右眼方向のキャラクタや撮影光量を示す値などのキャラクタやマークなどをキャラクタ合成回路５１で電気的に合成し、観察用モニタ１０に表示する。合成するキャラクタなどの指定は制御手段４１で行われている。撮影スイッチ６、ステレオ撮影設定部５２、パノラマ撮影設定部５３が制御手段４１に接続されている。更に、制御手段４１に接続された観察光源制御回路５４により眼底観察光源３１を制御し、撮影光源制御回路５５により撮影光源３４が制御されている。
【００１４】
左右眼の判別は、ステージ部２が基台部１に対して左右何れに移動しているかを検知する左右眼検知部７によってなされる。また、操作桿５を回転して眼底カメラ３を上下に移動し、観察用モニタ１０に観察用カメラ２８による被検眼Ｅの前眼部を表示して、眼底カメラ３の光軸と被検眼Ｅとのアライメント調整、眼底Ｅｒを表示して作動距離合わせとピント調整を行って撮影をするために使用する。前眼部を表示する際には、眼底カメラ３内に前眼部観察用レンズが光軸内に挿入され、前眼部観察用光源３９で前眼部を照明し、被検眼Ｅの虹彩、瞳孔Ｅｐを拡大して観察用モニタ１０に表示する。
【００１５】
図４は前眼部Ｅｆを観察している様子を示し、眼底Ｅｒを観察する際には前眼部観察用レンズが光軸から外れ、眼底像が観察用モニタ１０に表示される。前眼部観察用レンズはステージ部２に配置されたスイッチによって切換えることができる。なお、前眼部観察時、眼底観察時には、被検眼Ｅが縮瞳しない近赤外光源で照明しており、観察用カメラ２８は赤外領域に感度を有している。
可視光を用いてＣＣＤカメラ９で撮像された眼底像は撮影画像記録部１１で記録され、テレビモニタ１２に表示される。
【００１６】
図５は実施例１の左右眼を眼底撮影する場合の実施手順についてのフローチャート図である。
（ステップＳ１）被検者Ｓが代り、光量補正値をリセットする。被検者Ｓの右眼（又は左眼）の前眼部と眼底カメラ３の光軸との位置合わせを行う。
（ステップＳ２）前眼部の位置合わせが終了すると、撮影光量の設定を行う。最初の撮影を行う前に、暗室環境下で十分に自然散瞳されているため、被検者Ｓ毎の撮影光量の微調整は必要ないが、特に散瞳状態が不良の場合には任意に撮影光量を設定する。
（ステップＳ３）前眼観察状態から眼底観察に切換えて、眼底Ｅｒとの位置合わせを行う。
（ステップＳ４）位置合わせが終了すると、操作桿５の上部の撮影スイッチ６を押すことにより、撮影光源３４が発光して眼底Ｅｒを撮影する。ＣＣＤカメラ９で撮影された眼底画像は撮影画像記録部１１で記録され保存され、テレビモニタ１２上に表示され、右眼（又は左眼）の撮影が終了する。
（ステップＳ５）ステージ部２を左眼（又は右眼）方向に移動する。ステージ部２の移動に伴い、左右眼検知部７は撮影対象眼が変わったことを検知する。
（ステップＳ６）被検眼Ｅの変更は撮影光量設定部８に入力され、次の撮影光量を設定する。
（ステップＳ７）左眼（又は右眼）の前眼部と眼底カメラ３の光軸との位置合わせを行う。
（ステップＳ８）前眼観察状態から眼底観察に切換えて眼底Ｅｒとの位置合わせを行う。
（ステップＳ９）位置合わせが終了すると、撮影スイッチ６を押して左眼（又は右眼）の眼底Ｅｒの撮影を行う。ＣＣＤカメラ９で撮影された眼底画像は、撮影画像記録部１１で記録され保存されテレビモニタ１２上に表示される。
上述のステップＳ６で撮影光量が変更されるが、次の３パターンの何れかにより光量変更が行われる。
【００１７】
［撮影光量変更１］
次回の撮影光量を前回の撮影光量に基づく所定量とする。
初回の撮影には、テーブル等から光量を設定して、次回の撮影以降の撮影光量を決定する。所定量とは撮影光量設定部８内に記憶されている値であり、この値は前回の撮影において被検眼Ｅが縮瞳することにより、経験的に増加させなければならない値である。
表１は増加する所定量の絶対値をテーブルとして記憶している例であり、例えば「Ｆ０」の光量で前回撮影すると、次回の撮影光量は表１のテーブルの左列の「Ｆ０」行のＡ列の値を呼び出し「Ｆ１」の光量を次回の撮影光量として設定する。
【００１８】
【表１】
0005465210.tif 000002
ここで、図示は省略するが設定によってＡ列とＢ列を切換えて使うこともできる。例えば、同一眼の場合にはＡ列、他眼の撮影を行う場合にはＢ列を使うようにもできる。なお、ここでは増加する所定量の絶対値を、撮影光量設定部８に記憶することを例にしたが、これに限らず前回の撮影時の光量を基準にした割合を記憶するように構成してもよい。例えば、「１．５」と記憶されている場合には、前回の撮影光量値Ｆ０から、Ｆ０×１．５の値を次回の撮影光量として設定する。
【００１９】
表２は補正値が絶対値ではなく、前回撮影した光量に対する倍率を記憶したテーブルの例である。
【００２０】
【表２】
0005465210.tif 000003
「Ｆ０」で撮影すると、左列の「Ｆ１」行のＡ列又はＢ列の値を読み出し、Ａ列を使う場合には、次回の撮影光量を「Ｆ０×１．５０」として設定する。
【００２１】
［撮影光量変更２］
次回の撮影光量を前回の撮影光量に関数（瞳孔径又は瞳孔領域の面積）を加えた値とする。
この関数は図４に示す被検眼前眼部像から瞳孔Ｅｐの領域を抽出して、この領域の面積に応じて次回の撮影光量補正値を設定する。図６は瞳孔径から次回撮影光量の補正値を導出する動作フローチャート図である。
（ステップＳ１１）先ず、図４に示す前眼部像から虹彩Ｅｉと瞳孔Ｅｐの輝度差から適当な閾値を用いて、二値化処理を行い瞳孔領域を抽出する。前眼部像は赤外光源で照明されているため、虹彩Ｅｉと瞳孔Ｅｐは容易に分離できる。
（ステップＳ１２）分離した瞳孔領域から瞳孔径Ｄを算出する。この瞳孔径Ｄは二値化画像から従来から用いられている算出法で算出可能である。
（ステップＳ１３）瞳孔径Ｄを基に、撮影光量設定部８に記憶されている表３に示す光量増分値変換テーブルから撮影光量増分値を算出する。
【００２２】
【表３】
0005465210.tif 000004
この光量増分値変換テーブルの値は、前回の撮影光量値に加算する撮影光量増分値の絶対値であるが、これに限らず前回の撮影光量を基準にした割合をテーブルに記載するように構成してもよい。
（ステップＳ１４）撮影光量増分値が算出されると、前回の撮影光量値に加算して次回の撮影光量値を算出する。この例では、瞳孔径が２．５ｍｍの場合には、前回の撮影光量値をＦ０とすると、Ｆ０＋０．８を次回の撮影光量値として設定する。
【００２３】
［撮影光量変更３］
次回の撮影光量を前回の撮影光量に関数（経過時間）を加えた値とする。
瞳孔Ｅｐは撮影時に縮瞳するが、撮影後時間が経過すると徐々に開いてくる。従って、他眼撮影までの経過時間に基づいて他眼撮影時の撮影光量を補正してもよい。つまり、次回の撮影光量は前回の撮影光量に経過時間の関数に基づいた補正値を加えて求める。表４の対応テーブルはこの関数によって算出される値である。
【００２４】
【表４】
0005465210.tif 000005
この対応テーブルは前回の撮影からの経過時間と対応する撮影光量増分値を示している。この例では、時間経過と共に撮影光量増分値が減少してゆく。例えば前回の撮影後から３分経過時には、Ｆ０＋０．７が設定されるが、１０分経過後ではＦ０＋０．３となる。この対応テーブルは撮影光量設定部８内に記憶されており、時間経過に基づいて撮影光量を変更する場合に参照される。この対応テーブルの値も絶対値ばかりでなく、前回の撮影光量を基準とした割合としてもよい。
【実施例２】
【００２５】
実施例１では、左右眼を連続して撮影する場合を例に挙げたが、図７は同一被検眼Ｅを連続して撮影する場合の動作フローチャート図である。
（ステップＳ２１）眼底カメラ３は前眼部観察状態であり、光量の補正値をリセットする。被検者Ｓの右眼（又は左眼）の前眼部位置合わせを行い、眼底カメラ３との光軸調整を行う。
（ステップＳ２２）撮影光量の設定を行う。
（ステップＳ２３）眼底Ｅｒの観察状態に切換えて、眼底Ｅｒとの位置合わせを行う。
（ステップＳ２４）撮影スイッチ６を押して１回目の眼底撮影を行う。撮影後に、前眼部観察状態に切換える。ＣＣＤカメラ９で撮影された眼底画像は撮影画像記録部１１で記録され保存され、テレビモニタ１２上に表示される。
（ステップＳ２５）左眼（又は右眼）に切換えるか、或いは同じ方向の眼で前眼部位置合わせを行う。
（ステップＳ２６）被検眼Ｅと光軸との位置合わせが終了すると、眼底観察状態に切換える。
（ステップＳ２７）眼底観察状態への変更は撮影光量設定部８に入力されて、次回の撮影光量が変更される。１回目の撮影後に前眼観察状態から眼底観察状態に切換えられたため、次の撮影光量が補正される。
（ステップＳ２８）眼底Ｅｒと作動距離合わせとフォーカス調整を行う。
（ステップＳ２９）撮影スイッチ６を押して２回目の眼底撮影を行う。ＣＣＤカメラ９で撮影された眼底画像は撮影画像記録部１１で記録され保存され、テレビモニタ１２上に表示される。眼底カメラ３の観察状態は前眼部観察状態に切換える。ここで、この被検者Ｓの撮影を終了する、又は繰り返して撮影を行う場合にはステップＳ２５に戻る。
上述のステップＳ２７で行われる次回の撮影光量設定方法に関しては、実施例１に記載の３つの変更方法の何れかを適用する。
なお、左右眼の切換え撮影における同一眼では、実施例１の３つの変更方式で変更量を変えることもできる。この場合に、左右眼切換えの場合には、変更量に例えば０．９などの係数を乗ずることも考えられる。
また、撮影光量を変えることにより、左右眼での瞳孔Ｅｐの開き方の変動を抑えることができる。
【実施例３】
【００２６】
図８は実施例３の動作フローチャート図を示し、所定枚数の範囲内で、次回撮影時の撮影光量の自動設定を行う。
【００２７】
眼底検査では同一の被検眼Ｅに対し、広画角の撮影と、特徴部位、例えば緑内障診断を行うために乳頭部を拡大して撮影するなど複数回の撮影を行うことがある。このとき、各被検眼Ｅ毎の撮影枚数は一般に同一であり、例えば１枚目は眼底後極部、２枚目は乳頭部をセットとして、両眼について４回の撮影を行う例について説明する。
【００２８】
（ステップＳ３１）撮影に先立ち撮影枚数設定部から、同一被検眼Ｅの撮影枚数、この例では４枚を撮影光量設定部８にセットし、光量補正値、撮影枚数カウンタＮをリセットする。
（ステップＳ３２）前眼観察状態で被検眼Ｅの前眼部と眼底カメラ３の光軸との位置合わせを行う。
（ステップＳ３３）眼底観察状態に切換えて、眼底Ｅｒと作動距離を合わせフォーカス調整を行う。撮影画角は例えば右眼１枚目ならば広角撮影に、２枚目ならば光学系を拡大撮影に切換える。左眼の場合でも同様に、３枚目ならば広角撮影、４枚目ならば拡大撮影に切換える。
（ステップＳ３４）撮影スイッチ６を押して眼底撮影を行う。撮影した画像はテレビモニタ１２に表示され、撮影カウンタＮがカウントアップする。
（ステップＳ３５）撮影カウンタＮが４枚未満かどうか判断する。４枚未満ならばステップＳ３６に、４枚に達していればＥＮＤで終了する。
（ステップＳ３６）次回の撮影時の光量を補正する。上記に示した他の実施例と同様に撮影光量補正を行う。
【００２９】
撮影光量の変更は前述の３つの方法が適用できるが、実施例３のように撮影方法が異なる場合に、３方法で変更量を変更してもよい。この場合に撮影方法ごとに、変更量に例えば０．９などの係数を乗じてもよい。
【実施例４】
【００３０】
図９は実施例４の立体撮影に切換えるステレオ撮影設定部５２を示し、立体撮影モードに切換えるスイッチ５２ａであり、ステレオペアの左側を撮影するとき、スイッチ５２ｂを、右側を撮影するときスイッチ５２ｃを押すようになっている。これらのスイッチ５２ｂ、５２ｃの状態が撮影した画像の付帯情報エリアに書き込まれて、テレビモニタ１２で表示するときに左右に並べて表示し、立体視する観察者は立体観察用の眼鏡を掛けて観察する。
【００３１】
図１０は観察用モニタ１０に表示された被検眼と立体撮影用の指標の説明図である。眼底像Ｅｒ”はキャラクタで電気的にビデオ信号に合成された撮影光軸Ｏと共に表示され、同時に被検眼Ｅの角膜Ｅｃに投影された輝点Ｐ１、Ｐ２も表示される。
スイッチ５２ａを押して立体撮影に切換え、先ずスイッチ５２ｂがオンすると輝点Ｐ１が点滅する。撮影者は輝点Ｐ１と撮影光軸Ｏが重なるように、操作桿５を左右に操作してステージ部２を移動して撮影し、次にスイッチ５２ｃを押すと輝点Ｐ２が点滅するので、撮影光軸Ｏと輝点Ｐ２が重なるようにステージ部２を移動してから立体用画像の撮影を行う。
【００３２】
図１１は実施例４の動作フローチャート図を示し、立体撮影では被検眼Ｅの瞳孔径内で所定の基線長分ずらして２枚のペア画像を順次に撮影し、２枚目の撮影で撮影光量を自動設定する。
（ステップＳ４１）撮影に先立ち、光量を設定し光量補正値をリセットし、立体撮影モードに切換える。
（ステップＳ４２）ステレオ撮影の方向を切換え、図９に示すスイッチ５２ｂ又は５２ｃを押して切換える。
（ステップＳ４３）１回目の撮影が行われると撮影光量の自動設定を行って、２回目以降の光量補正を行う。この補正も上記した他の実施例と同様である。
（ステップＳ４４）前眼部観察状態で眼底カメラ３の光軸と被検眼Ｅとの位置合わせを行う。
（ステップＳ４５）眼底観察状態に切換えて作動距離を合わせ、ピント調整を行う。ステレオ撮影モードであるため、点滅している輝点Ｐ１（又はＰ２）と光軸中心を示す撮影光軸Ｏが一致するように、操作桿５を操作してステージ部２を稍々偏芯させる。
（ステップＳ４６）撮影スイッチ６を押下して、ステレオ眼底撮影の１対の撮影を行う。
（ステップＳ４７）続いて、ステレオの２対目の撮影、左右眼を切換えて他眼の撮影を行って撮影を終了する。
なお、この場合に撮影光軸Ｏが基線長分変化することにより、瞳孔Ｅｐの開き方の変動を調整することができる。
【実施例５】
【００３３】
図１２はパノラマ撮影を行う際に２回目以降の撮影に際して、撮影光量を自動設定する場合の実施例５の動作フローチャート図である。
パノラマ撮影を行う場合には、パノラマ撮影設定部５３を押してパノラマ撮影モードに切換える。次に、眼底Ｅｒの固視位置を変えるためのステージ部２に設けた図示しない固視灯位置切換スイッチを撮影の度に順次に切換えて、所定の枚数を撮影する。パノラマ撮影モード情報と固視位置情報と左右眼情報とを撮影画像記録部１１に送り、撮影画像の付帯情報部に書き込まれ、貼り合わせ処理の際に利用される。
（ステップＳ５１）撮影に先立ち、光量を設定し光量補正値をリセットし、パノラマ撮影モードに切換える。
（ステップＳ５２）パノラマ撮影のために固視灯位置切換スイッチを押して、被検眼Ｅの固視方向を切換える。
（ステップＳ５３）初回の撮影では光量補正は行わず、２回目以降の撮影の場合には光量補正を行う。この補正も上記した他の実施例と同様である。
（ステップＳ５４）前眼部観察状態で、眼底カメラ３の光軸と被検眼Ｅとの位置合わせを行う。
（ステップＳ５５）眼底観察状態に切換えて作動距離を合わせ、ピント調整を行う。パノラマ撮影モードであるため眼底Ｅｒは撮影の度に位置がずれている。
（ステップＳ５６）撮影スイッチ６を押してパノラマ眼底撮影の撮影を行う。
（ステップＳ５７）続いて、所定の枚数分パノラマ撮影を行い、左右眼を切換えて他眼の撮影を行って撮影を終了する。他眼に切換えると、固視灯位置は初期位置に戻る。
このパノラマ撮影の場合においても、通常撮影の場合と同様に前述の３つの方式で光量の変更量を変えることもできる。また、撮影方法ごとに、変更量に例えば０．９などの係数を乗ずるようにしてもよい。
【００３４】
上述した各実施例では、次回の撮影光量を自動設定する例を説明した。なお、被検者Ｓが交代して被検者Ｓを識別するＩＤが更新されると、撮影光量の自動設定で行っていた光量補正をリセットするようにすると、撮影が終了して次の被検者Ｓの撮影を開始するときの光量補正リセット操作を自動化できる。このＩＤはステージ部２に設けられたテンキーから入力したり、基台部１に接続された磁気カードリーダなどから入力する。入力したＩＤは撮影した画像と共に撮影画像記録部１１に送られて、画像ファイル中の付帯情報記憶領域に書き込まれる。
【００３５】
また上述した各実施例では、２枚目以降の撮影光量を自動設定するようにしたが、簡易的に光量変更を促す注意マークなどを観察用モニタ１０上に表示して、撮影者がステージ部２にある撮影光量設定部８を操作して光量調節が行うと、この注意マークを消すようにしてもよい。なお、注意マークの表示のタイミングは、上述した光量を補正すると判断したときである。
【産業上の利用可能性】
【００３６】
なお、本発明の目的は、実施形態の装置又はシステムの機能を実現するソフトウェアのプログラムコードを記憶した記憶媒体を、装置又はシステムに供給し、その装置又はシステムのコンピュータ（ＣＰＵ又はＭＰＵ等）が、記憶媒体に格納されたプログラムコードを読み出して実行することによっても達成されることは云うまでもない。この場合に、記憶媒体から読み出されたプログラムコード自体が実施形態の機能を実現することとなり、そのプログラムコードを記憶した記憶媒体及び当該プログラムコードは本発明を構成することになる。
【００３７】
プログラムコードを供給するための記憶媒体としては、ＲＯＭ、フロッピディスク（登録商標）、ハードディスク、光ディスク、光磁気ディスク、ＣＤ−ＲＯＭ、ＣＤ−Ｒ、磁気テープ、不揮発性のメモリカード等を用いることができる。
【００３８】
また、コンピュータが読み出したプログラムコードを実行することにより、実施形態の機能が実現されるだけでなく、そのプログラムコードの指示に基づいて、コンピュータ上で稼動しているＯＳ等が実際の処理の一部又は全部を行い、その処理によって実施例１〜５の機能が実現される場合も、本発明の実施の態様に含まれることは勿論である。
【００３９】
更に、記憶媒体から読み出されたプログラムコードが、コンピュータに挿入された機能拡張ボードやコンピュータに接続された機能拡張ユニットに備わるメモリに書き込まれた後に、そのプログラムコードの指示に基づいて、その機能拡張ボードや機能拡張ユニットに備わるＣＰＵなどが実際の処理の一部又は全部を行い、その処理によって実施形態の機能が実現される場合も、本発明の実施の態様に含まれることは云うまでもない。
【００４０】
このようなプログラム又は当該プログラムを格納した記憶媒体に本発明が適用される場合に、当該プログラムは例えば上述の動作フローチャート図に対応したプログラムコードから構成される。
【符号の説明】
【００４１】
１  基台部
２  ステージ部
３  眼底カメラ
５  操作桿
６  撮影スイッチ
７  左右眼検知部
８  撮影光量設定部
９  ＣＣＤカメラ
１０  観察用モニタ
１１  撮影画像記録部
１２  モニタ
２８  観察用カメラ
３１  観察光源
３４  撮影光源
４１  制御手段
４３  メインメモリ
５２  ステレオ撮影設定部
５３  パノラマ撮影設定部
【図１】
0005465210.tif 000006
【図２】
0005465210.tif 000007
【図３】
0005465210.tif 000008
【図４】
0005465210.tif 000009
【図５】
0005465210.tif 000010
【図６】
0005465210.tif 000011
【図７】
0005465210.tif 000012
【図８】
0005465210.tif 000013
【図９】
0005465210.tif 000014
【図１０】
0005465210.tif 000015
【図１１】
0005465210.tif 000016
【図１２】
0005465210.tif 000017